(57)【要約】【課題】本体容器と食品が同等の大きさであっても、容易に食品を取り出すことができる包装容器を提供することを課題とする。【解決手段】底板と、前板と、後板と、左右の側板とからなる本体容器と、天板と、前板と、後板と、左右の側板とからなり、本体容器の開口部よりも開口部が一回り大きい蓋体とからなり、本体容器の後板上辺と蓋体の後板下辺は、ヒンジ折線を介して連結し、蓋体はヒンジ折線を基点に開閉可能である包装容器において、本体容器の前板の下辺両側端部から前板の上辺まで延びる２本の切目線を備えることを特徴とする包装容器とした。【選択図】図１
2013241194.tif 000002
【特許請求の範囲】
【請求項１】
底板と、前板と、後板と、左右の側板とからなる本体容器と、
天板と、前板と、後板と、左右の側板とからなり、本体容器の開口部よりも開口部が一回り大きい蓋体とからなり、
本体容器の後板上辺と蓋体の後板下辺は、ヒンジ折線を介して連結し、蓋体はヒンジ折線を基点に開閉可能である包装容器において、
前記本体容器の前板の下辺両側端部から前板の上辺まで延びる２本の切目線を備えることを特徴とする包装容器。
【請求項２】
前記本体容器の左右の側板は、下辺の後板側の側端部から上辺まで延びる折線を各々備え、前記蓋体の左右の側板は、上辺両側端部から下辺まで延びる各々２本の折線を備えることを特徴とする請求項１記載の包装容器。
【請求項３】
前記本体容器の左右の側板の上部に、本体容器の前方向に突出する２つの突起部と、
前記蓋体の前板の下部に、蓋体の左右方向に突出する２つの突起部とを備え、
前記蓋体を閉じた状態において、本体容器の突起部の下辺が蓋体の突起部の上辺に引っ掛かることを特徴とする請求項１または２記載の包装容器。
【請求項４】
前記蓋体の前板は、２つの突起部の上側に直線状の折線を備えていることを特徴とする請求項３記載の包装容器。
【請求項５】
前記ヒンジ折線上に、部分的な切込部が形成されていることを特徴とする請求項１乃至４のいずれかに記載の包装容器。
【発明の詳細な説明】
【技術分野】
【０００１】
本発明は、包装容器に関するものである。特に、ハンバーガー等のファーストフード食品に適した包装容器に関するものである。
【背景技術】
【０００２】
従来から、ハンバーガー等のファーストフード食品には、本体容器と蓋体とがヒンジ部で連結している紙製の包装容器が使用されている（特許文献１参照）。
【０００３】
ハンバーガー等のファーストフード食品は、このような包装容器から食品を直接手で掴んで取り出し、食べることが一般的であるが、本体容器と同等の大きさの食品が包装容器に収められている時は、包装容器と食品の間に手を差し込むことができず、食品を取り出しにくいことが問題となっている。
【先行技術文献】
【特許文献】
【０００４】
【特許文献１】特開２００７−２１０６６０号公報
【発明の概要】
【発明が解決しようとする課題】
【０００５】
そこで、本発明にあっては、本体容器と食品の大きさが同等であっても、容易に食品を取り出すことができる包装容器の提供を課題としている。
【課題を解決するための手段】
【０００６】
上記課題を解決するために請求項１にかかる発明としては、底板と、前板と、後板と、左右の側板とからなる本体容器と、天板と、前板と、後板と、左右の側板とからなり、本体容器の開口部よりも開口部が一回り大きい蓋体とからなり、本体容器の後板上辺と蓋体の後板下辺は、ヒンジ折線を介して連結し、蓋体はヒンジ折線を基点に開閉可能である包装容器において、前記本体容器の前板の下辺両側端部から前板の上辺まで延びる２本の切目線を備えることを特徴とする包装容器とした。
【０００７】
また、請求項２にかかる発明としては、前記本体容器の左右の側板は、下辺の後板側の側端部から上辺まで延びる折線を各々備え、前記蓋体の左右の側板は、上辺両側端部から下辺まで延びる各々２本の折線を備えることを特徴とする請求項１記載の包装容器とした。
【０００８】
また、請求項３にかかる発明としては、前記本体容器の左右の側板の上部に、本体容器の前方向に突出する２つの突起部と、前記蓋体の前板の下部に、蓋体の左右方向に突出する２つの突起部とを備え、前記蓋体を閉じた状態において、本体容器の突起部の下辺が蓋体の突起部の上辺に引っ掛かることを特徴とする請求項１または２記載の包装容器とした。
【０００９】
また、請求項４にかかる発明としては、前記蓋体の前板は、２つの突起部の上側に直線状の折線を備えていることを特徴とする請求項３記載の包装容器とした。
【００１０】
また、請求項５にかかる発明としては、前記ヒンジ折線上に、部分的な切込部が形成されていることを特徴とする請求項１乃至４のいずれかに記載の包装容器とした。
【発明の効果】
【００１１】
本発明の包装容器は、本体容器の前板の下辺両側端部から前板の上辺まで延びる２本の切目線を備えている。
これにより、本体容器と食品の大きさが同等で、包装容器と食品の間に手を差し込むことができないような場合であっても、この切目線を破断することで、前板は、前板と底板との境界に位置する罫線を基点に前方向に倒すことができ、包装容器と食品の間に無理やり手を差し込むことなく食品を前方向にスライドして取り出すことができる。
【００１２】
また、本発明の包装容器は、本体容器の左右の側板が、下辺の後板側の側端部から上辺まで延びる折線を各々備え、蓋体の左右の側板は、上辺両側端部から下辺まで延びる各々２本の折線を備えている
これにより、包装容器を廃棄する際、本体容器の２本の折線と蓋体の４本の折線を、各々山折りすることで、包装容器を平坦に折畳み、コンパクト化することができる。
【００１３】
また、本発明の包装容器は、本体容器の左右の側板の上部に、本体容器の前方向に突出する２つの突起部と、蓋体の前板の下部に、蓋体の左右方向に突出する２つの突起部とを備え、蓋体を閉じた状態において、本体容器の突起部の下辺が蓋体の突起部の上辺に引っ掛かる構造となっている。
これにより、閉じた状態の包装容器が、持ち運び時、また誤って落としてしまった時であっても、容易に開封し、収容している食品が飛び出してしまうことがない。
【００１４】
また、本発明の包装容器は、蓋体の前板に形成される２つの突起部の上側に直線状の折線を備えていることにより、本体容器の突起部と蓋体の突起部が引っ掛かり、ロックされた状態で、蓋体の前板の下部を包装容器の前方向に引っ張ることで、蓋体の前板は直線状の折線を基点に折り曲がり、突起部の引っ掛かりを容易に外すことができる。
【００１５】
また、本発明の包装容器は、ヒンジ折線上に、部分的な切込部が形成されていることにより、蓋体を開いた際、ヒンジ折線に加わる反撥力を弱めることができ、蓋体が勝手に閉じてしまうことを防止することができる。
【図面の簡単な説明】
【００１６】
【図１】図１は本発明の実施形態の一例を示す包装容器の展開図である。
【図２】図２は図１の実施形態の蓋体が閉じた状態の包装容器の斜視図である。
【図３】図３は図１の実施形態の蓋体を開いた状態の包装容器の斜視図である。
【図４】図４は図１の実施形態の蓋体を開いた状態の包装容器の斜視図である。
【図５】図５は図１の実施形態の本体容器の切目線を切除した状態の包装容器の斜視図である。
【図６】図６は図１の実施形態の本体容器と蓋体の折線を山折している途中の状態を示す包装容器の斜視図である。
【図７】図７は図１の実施形態の本体容器と蓋体の折線を完全に山折した状態を示す包装容器の上視図である。
【図８】図８は図１の実施形態の蓋体を閉じた状態の包装容器の側面図である。
【図９】図９は図１の実施形態の蓋体の前板が折線を基点に折り曲がった状態の包装容器の側面図である。
【発明を実施するための形態】
【００１７】
図１〜図３を用いて、本発明の実施形態の一例について説明する。図１は本発明の実施形態の一例を示す包装容器の展開図である。図２は図１の実施形態の蓋体が閉じた状態の包装容器の斜視図である。図３は図１の実施形態の蓋体を開いた状態の包装容器の斜視図である。
【００１８】
図１〜図３に示す包装容器１は、本体容器２と蓋体３とがヒンジ折線４１を介して連結してなる。
【００１９】
本体容器２は、略四角形状の底板２１と、底板２１の一辺と罫線を介して連設した前板２２と、底板２１の前板２２と対向する一辺に罫線を介して連設した後板２３と、底板２１のその他の対向する二辺に罫線を介して連設した一対の側板２４とを備え、前板２２および後板２３の両側辺から罫線を介して連設した貼り付け片（符号なし）を、隣接する側板２４に貼り付けることでトレー状に形成してなるものである。
【００２０】
蓋体３は、略四角形状の天板３１と、天板３１の一辺と罫線を介して連設した前板３２と、天板３１の前板３２と対向する一辺に罫線を介して連設した後板３３と、天板３１のその他の対向する二辺に罫線を介して連設した一対の側板３４とを備え、後板３３の両側辺から罫線を介して連設した貼り付け片（符号なし）を、隣接する側板２４に貼り付け、かつ、一対の側板３４の前板３２側の側辺から罫線を介して連設した貼り付け片（符号なし）を、前板３２に貼り付けることでトレー状に形成してなるものである。
【００２１】
本体容器２と蓋体３とは、本体容器２の後板２３上辺と蓋体３の後板３３下辺において、ヒンジ折線４１を介して連結し、蓋体３はヒンジ折線４１を基点に開閉可能となる。
蓋体３の開口部３９は、本体容器２の開口部２８よりも一回り大きく、蓋体３が本体容器２に覆い被さる構造となっている。
【００２２】
なお、上記した本体容器２および蓋体３の形状は、略四角形状に限定する必要はなく、多角形状であってもよい。また、貼り付け片の連設する箇所も特に限定するものではない。
【００２３】
本体容器２の前板２２には、前板２２の下辺両側端部から前板２２の上辺まで延びる２本の切目線２６が形成されている。
【００２４】
図４は、図１の実施形態の蓋体を開いた状態の包装容器の斜視図であり、図５は、図１の実施形態の本体容器の切目線を切除した状態の包装容器の斜視図であるが、本発明の包装容器１は、蓋体３の切目線２６を切り離すことで、前板２２を、前板２２と底板２１との境界に位置する罫線を基点に前方向に倒すことができる。
これにより、本体容器２と収容される食品の大きさが同等であり、本体容器２と食品の間に手を差し込むことができないような場合であっても、この切目線２６を切り離すことで、前板２２を前方向に倒し、本体容器２と食品の間に無理やり手を差し込むことなく、食品を前方向にスライドして取り出すことができる。
なお、切目線２６の一端を前板２２の下辺両測端部に設けることにより、前板２２を倒した際に、食品のスライド方向を塞ぐ立設した前板を完全に除去することができる。
【００２５】
図では、本体容器２の切目線２６は、斜め上方向に延びる直線であるが、これは、前板２２の下辺両側端部を一端とするものであれば、鉛直方向であってもよく、また、曲線であってもよい。
さらに、切目線２６は、切込が貫通しているミシン目であっても、切込が貫通していない半切れ線であってもよく、切除することができれば、これらに限定するものではない。
【００２６】
次に図６および図７を用いて本発明の包装容器１について説明する。
図６は図１の実施形態の本体容器と蓋体の折線を山折している途中の状態を示す包装容器の斜視図であり、図７は図１の実施形態の本体容器と蓋体の折線を完全に山折した状態を示す包装容器の上視図である。
【００２７】
また、本発明の包装容器１は、本体容器２の左右の側板２４が、下辺の後板２３側の側端部から上辺まで延びる折線２７を各々備え、蓋体３の左右の側板３４は、上辺両側端部から下辺まで延びる各々２本の折線（３６、３７）を備えている。
これにより、包装容器１を廃棄する際、本体容器２の２本の折線２７と蓋体３の４本の折線（３６、３７）を、各々山折りすることで、包装容器１を平坦に折畳むことができる。
【００２８】
なお、本発明の包装容器１では、折線２７の一端を側板２４の下辺の後板２３側の側端部に設けることで、側板２４と底板２１と後板２３からなる角部を、折畳んだ際に平坦にすることができるものである。同様に、折線（３６、３７）の一端を側板３４の上辺の両側端部に設けることで、蓋体の天板３１の四隅の角部を、折畳んだ際に平坦にすることができるものである。
このように、通常の包装容器では、角部が残り、廃棄の際に嵩張る包装容器を、本発明では、平坦にコンパクト化することができるため、廃棄性にも優れるものである。
【００２９】
また、本発明の包装容器１は、本体容器２の左右の側板２４の上部に、本体容器の前方向に突出する２つの突起部２５と、蓋体３の前板３２の下部に、蓋体３の左右方向に突出する２つの突起部３５とを備え、蓋体３を閉じた状態において、本体容器２の突起部２５の下辺が蓋体３の突起部３５の上辺に引っ掛かる構造となっている。
これにより、閉じた状態の包装容器１を、持ち運んでいる時や、誤って落としてしまった時であっても、それらの衝撃で包装容器１が開封し、収容している食品が飛び出してしまうことを防止することができる。
【００３０】
次に図８および図９を用いて本発明の包装容器１について説明する。図８は図１の実施形態の蓋体３を閉じた状態の包装容器１の側面図である。図９は図１の実施形態の蓋体３の前板３２が折線３８を基点に折り曲がった状態の包装容器１の側面図である。
【００３１】
本発明の包装容器１は、蓋体３の前板３２に形成される２つの突起部３５の上側に直線状の折線３８を備えている。
本体容器２の突起部２５と蓋体３の突起部３５が引っ掛かり、ロックされた状態で、蓋体３の前板３２の下部を包装容器１の前方向に引っ張ることで、蓋体３の前板３２は直線状の折線３８を基点に折り曲がり、突起部（２５、３５）の引っ掛かりを容易に外すことができる。
つまり、直線状の折線３８により、開封動作を容易に行うことが可能となる。
【００３２】
また、本発明の包装容器１は、ヒンジ折線４１上に、部分的な切込部４２が形成されている。
蓋体３を開いた際、ヒンジ折線４１には元の形状に戻ろうとする反撥力が生じるため、蓋体３が勝手に閉じてしまうことがある。しかし、ヒンジ折線４１上に、部分的な切込部４２を設けることで、その反撥力を弱めることができ、蓋体３が勝手に閉じてしまうことを防止することができる。
【００３３】
図では、ヒンジ折線４１の中央部に１つの切込部４２が形成されているが、切込部４２は中央でなくてもよく、複数あってもよい。
【００３４】
また、本発明の包装容器の材料としては、主に紙を用いるものであるが、特に紙材料に限定するものではない。
【符号の説明】
【００３５】
１・・・包装容器
２・・・本体容器
３・・・蓋体
２１・・・底板
２２・・・前板
２３・・・後板
２４・・・側板
２５・・・突起部
２６・・・切目線
２７・・・折線
２８・・・開口部
３１・・・天板
３２・・・前板
３３・・・後板
３４・・・側板
３５・・・突起部
３６・・・折線
３７・・・折線
３８・・・折線
３９・・・開口部
４１・・・ヒンジ折線
４２・・・切込部
【図１】
2013241194.tif 000003
【図２】
2013241194.tif 000004
【図３】
2013241194.tif 000005
【図４】
2013241194.tif 000006
【図５】
2013241194.tif 000007
【図６】
2013241194.tif 000008
【図７】
2013241194.tif 000009
【図８】
2013241194.tif 000010
【図９】
2013241194.tif 000011